(57)【要約】      （修正有）【課題】供給された媒体が、搬送経路の途中で停滞するおそれを低減でき、媒体を従来のパドル構造のものより確実に当接部に搬送して整合させ、積層部に積層させることができる媒体処理装置を提供する。【解決手段】媒体２１０を供給する供給部２２０と、供給部２２０から供給される媒体２１０を搬送する搬送部２３０と、搬送部２３０により搬送される前記媒体２１０の先端２１１が当接する当接部２４０と、当接部２４０に当接された媒体２１０が積層される積層部２５０と、積層部２５０に積層された媒体２１０に対して処理を行う処理部２６０と、を備え、搬送部２３０は、媒体２１０の搬送経路に沿って移動可能であって媒体２１０の先端２１１を把持して移動する把持部２３１を、備える、ことを特徴とする媒体処理装置。【選択図】図２
2020083641.tif 000002
【特許請求の範囲】
【請求項１】
媒体を供給する供給部と、
前記供給部から供給される前記媒体を搬送する搬送部と、
前記搬送部により搬送される前記媒体の先端が当接する当接部と、
前記当接部に当接された前記媒体が積層される積層部と、
前記積層部に積層された前記媒体に対して処理を行う処理部と、を備え、
前記搬送部は、前記媒体の搬送経路に沿って移動可能であって前記媒体の先端を把持して移動する把持部を、備える、
ことを特徴とする媒体処理装置。
【請求項２】
請求項１に記載の媒体処理装置において、
前記搬送部は、前記供給部の送り力が及ぶ範囲に位置する前記媒体を、前記把持部によって把持し、前記当接部に向かって前記媒体を移動させる、
ことを特徴とする媒体処理装置。
【請求項３】
請求項２に記載の媒体処理装置において、
前記積層部に積層されている前記媒体は、前記搬送部が前記媒体を搬送する搬送領域外に位置する、
ことを特徴とする媒体処理装置。
【請求項４】
請求項２に記載の媒体処理装置において、
前記供給部から最後の媒体が供給される際に、
前記搬送部は、前記積層部に積層されている前記媒体と一緒に、前記供給部の送り力が及ぶ範囲まで移動して前記最後の媒体を加えた全媒体を、前記把持部によって把持し、前記当接部に向かって移動する、
ことを特徴とする媒体処理装置。
【請求項５】
請求項１から請求項４のいずれか一項に記載の媒体処理装置において、
前記処理部が行う処理は、
前記積層部に積層されて先端が揃えられた状態の前記媒体の前記搬送の方向における中央を綴じる中綴じ処理と、
前記媒体の前記中央を折る中折処理である、
ことを特徴とする媒体処理装置。
【発明の詳細な説明】
【技術分野】
【０００１】
本発明は、媒体の処理を行う媒体処理装置に関する。
【背景技術】
【０００２】
媒体に所定の処理を行う媒体処理装置において、処理前に媒体の端部を他の媒体の端部と揃える、則ち整合させることがある。媒体の整合は、基本的に、媒体の搬送方向において積層部の上流に有る送りローラー等の供給部から送り力を受けた媒体が、慣性力と重力のみにより経路を滑って移動した後、媒体の下端（先端）の辺を当接部に当接させることにより行われる。このため媒体の状態によっては、搬送経路の途中で座屈して引っ掛かってしまい、前記当接部まで到達することができない場合が生じるという問題がある。係る問題を解決するため、従来より、媒体の整合をし易くするための構造が採用されている（例えば特許文献１）。
【先行技術文献】
【特許文献】
【０００３】
【特許文献１】特開２０１０−００１１４９号公報
【発明の概要】
【発明が解決しようとする課題】
【０００４】
特許文献１においては、媒体を積層させるトレイの下部側に、羽を具備したパドルを設け、パドルを回転させ、前記羽を媒体の表面に間欠的に当接させることにより、媒体をトレイの下部に位置する当接部まで移動させて整合させる構造の媒体処理装置が記載されている。
【０００５】
しかし、係る構造では、パドルがトレイの下部側に位置するため、媒体がパドルに到達する前に搬送経路内で停滞してしまうおそれがある。また、パドルがトレイの上部側にある場合には、パドルの回転により生じる羽の周速度が、パドルの上流にある媒体を送る送りローラーが媒体を送る速度より遅い場合には、媒体に撓みを生じてしまうおそれがある。このため、次に送られてくる媒体の搬送経路が狭くなってしまい、整合することできないおそれがある。また、パドルの回転による羽の周速度が速すぎる場合には、該パドルによって媒体が搬送される速度が速すぎて、媒体の下端（先端）が前記当接部に当接した際に跳ねてしまい、整合することができないおそれがある。
【課題を解決するための手段】
【０００６】
上記課題を解決する本発明に係る媒体処理装置は、媒体を供給する供給部と、前記供給部から供給される前記媒体を搬送する搬送部と、前記搬送部により搬送される前記媒体の先端が当接する当接部と、前記当接部に当接された前記媒体が積層される積層部と、前記積層部に積層された前記媒体に対して処理を行う処理部と、を備え、前記搬送部は、前記媒体の搬送経路に沿って移動可能であって前記媒体の先端を把持して移動する把持部を、備える、ことを特徴とする。
【図面の簡単な説明】
【０００７】
【図１】媒体処理装置を備える記録システムの概略図。
【図２】第１の実施形態に係る、搬送部が待機位置にいる状態の媒体処理装置の概略断面図。
【図３】第１の実施形態に係る、搬送部が供給部から供給された媒体の搬送を開始する位置にいる状態の媒体処理装置の概略断面図。
【図４】第１の実施形態に係る、搬送部が媒体を当接部に当接させた位置にいる状態の処理装置の概略断面図。
【図５】第１の実施形態に係る、積層部に積層された媒体の軌道と搬送部により搬送される媒体の軌道との位置関係を示した媒体処理装置の概略図。
【図６】第２の実施形態に係る、供給部から供給される媒体の搬送を開始する位置の場合の媒体処理装置の概略図。
【図７】第３の実施形態に係る、ベルト搬送部により媒体の搬送を開始する位置の場合の媒体処理装置の概略図。
【発明を実施するための形態】
【０００８】
最初に、本発明を概略的に説明する。  
本発明の第１の態様に係る媒体処理装置は、媒体を供給する供給部と、前記供給部から供給される前記媒体を搬送する搬送部と、前記搬送部により搬送される前記媒体の先端が当接する当接部と、前記当接部に当接された前記媒体が積層される積層部と、前記積層部に積層された前記媒体に対して処理を行う処理部と、を備え、前記搬送部は、前記媒体の搬送経路に沿って移動可能であって前記媒体の先端を把持して移動する把持部を、備える、
ことを特徴とする。  
ここで、「前記積層部に積層された前記媒体に対して処理を行う処理部」における処理は、この明細書においては、媒体が積層部に積層されているその位置で行う処理と、積層部に積層されて先端が揃えられた状態の媒体の束を別の位置にある処理部まで移動させて行う処理の両方を含み意味で使われている。
【０００９】
本態様によれば、供給部から供給される媒体を、搬送部が、前記搬送部が備える把持部が前記媒体の先端を把持することにより前記当接部まで運び、前記媒体の先端の辺を当接させて整合させる。そして、媒体の先端の辺が前記当接動作によって揃えられて整合した状態で該媒体は積層部に積層される。即ち、本態様によれば、従来のようなパドルは用いないので、前記供給部から供給された前記媒体が、搬送経路の途中で停滞するおそれを低減でき、従来のパドル構造のものより前記媒体を確実に前記当接部に搬送して整合させ、積層部に積層させることができる。
【００１０】
本発明に係る第２の態様は、第１の態様において、前記搬送部は、前記供給部の送り力が及ぶ範囲に位置する前記媒体を把持し、前記当接部に向かって前記媒体を移動させる、ことを特徴とする。  
言い換えると、前記搬送部が前記媒体の搬送を開始する位置は、前記供給部からの距離として、前記媒体の供給方向の長さより短くてよい。
【００１１】
本態様によれば、前記搬送部は、前記供給部の送り力が及ぶ範囲に位置する前記媒体を把持し、前記当接部に向かって前記媒体を移動させる構成である。これにより、前記媒体が前記供給部を完全に抜けて前記送り力を受けなくなる前に、前記搬送部が前記媒体を把持し搬送を開始するので、前記媒体が経路の途中で停滞するおそれを低減することができる。
【００１２】
本発明に係る第３の態様は、第２の態様において、前記積層部に積層されている前記媒体は、前記搬送部が前記媒体を搬送する搬送領域外に位置する、ことを特徴とする。
【００１３】
本態様によれば、前記積層部に積層されている前記媒体は、前記搬送部が前記媒体を搬送する搬送領域外に位置する。これにより、搬送部は、既に積層部に積層されている媒体と干渉することなく、媒体に対して前記把持する位置に移動することができるので、既に積層部に積層されている媒体の整合状態を低下させる虞が少ない。
【００１４】
本発明に係る第４の態様は、第２の態様において、前記供給部から最後の媒体が供給される際に、前記搬送部は、前記積層部に積層されている前記媒体と一緒に、前記供給部の送り力が及ぶ範囲まで移動して前記最後の媒体を加えた全媒体を把持し、前記当接部に向かって移動する、ことを特徴とする。  
ここで「最後の媒体」とは、前記処理部で処理する一纏まりを成す複数枚の媒体のうちの最後に供給される媒体を意味する。
【００１５】
前記積層部は、複数枚の媒体が積層できる積層高さの積層空間を有している。前記供給部から送られた媒体は前記当接部に当接して積層部に積層される。この際、最初の１枚のときは前記積層空間に障害となるものは無いので、前記供給部の送り力に基づく慣性力と媒体の重力によって前記当接部に到達することができる。２枚目以降からは、既に積層位置に入っている媒体の存在により前記積層空間は次第に狭くなる。そのため、供給部から出て送り力が作用しない媒体は、前記当接部まで到達しきれないで途中で停まってしまう場合もある。  
しかし、次の媒体が供給部から前記当接部に向かって送り出される際に、前記次の媒体に対する前記送り力が一つ前に送られた媒体にも伝わる。即ち、次の媒体に押されて間接的に送り力を受けることができるので、前記一つ前に送られて途中で停まっていた媒体は前記当接部にまで到達することができる。  
しかし、最後の１枚のときは、前記間接的な送り力は無いので、前記当接部まで到達できない場合がある。  
本態様によれば、前記搬送部は、前記積層部に積層されている前記媒体と一緒に、前記供給部の送り力が及ぶ範囲まで移動して前記最後の媒体を加えた全媒体を把持し、前記当接部に向かって移動する。これにより、最後の１枚も当接部まで到達することが可能となる。即ち、他の媒体が前記積層部に積層されて積層空間が狭くなった場合でも、最後の１枚を他の媒体と整合させることができる。
【００１６】
本発明に係る第５の態様は、第１の態様から第４の態様のいずれか一つの態様において、前記処理部が行う処理は、前記積層部に積層されて先端が揃えられた状態の前記媒体の前記搬送の方向における中央を綴じる中綴じ処理と、前記媒体の前記中央を折る中折処理である、ことを特徴とする。
【００１７】
本態様によれば、前記媒体の前記中綴じ処理および前記中折処理を効果的に行うことができる。
【００１８】
［実施形態］
以下、本発明の実施形態について図面を参照しながら説明する。以下に説明は、本発明の態様の一例を示したものであり、これにより本発明の技術的範囲が狭く限定されることはない。なお、図面については、同一又は同等の要素又は部材には同一の符号を付し、重複する説明は省略する。
【００１９】
＜記録システムの概略＞
図１に示す記録システム１００は、一例として図１の右方から左方に向かって、記録ユニット１１０と、媒体処理装置２００を含む処理ユニット１２０とを備えている。  
記録システム１００は、図示を省略する操作パネルから、記録ユニット１１０及び処理ユニット１２０における設定を入力することができるように構成されている。操作パネルは、一例として記録ユニット１１０に設けることができる。
【００２０】
本実施形態において、媒体２１０とは、例えば単票紙等が挙げられ、所定の長さの辺を有する長方形のシート状体である。媒体２１０の材料は可撓性を有しており、媒体２１０の表面に記録ユニット１１０により記録することができる。媒体２１０の材質は例えば紙であるが、これに限定されない。
【００２１】
記録ユニット１１０は、搬送される媒体２１０に記録を行う。処理ユニット１２０は、記録ユニット１１０における記録後の媒体２１０にステープル処理等の所定の処理を行う。以下、記録ユニット１１０、処理ユニット１２０について説明を行う。
【００２２】
記録ユニット１１０は、媒体２１０に記録を行うプリンター部１３０と、スキャナー部１４０を備える複合機として構成されている。本実施形態において、プリンター部１３０における記録方式は、液体であるインクを媒体２１０に吐出して記録を行う、所謂インクジェット式の記録である。  
プリンター部１３０の下部には、複数の媒体収容カセット１３１を備えるカセット収容部１３２が設けられている。媒体収容カセット１３１に収容された媒体２１０が、記録領域１３３に送られて、記録動作が行われる。記録後の媒体２１０は、記録後排出トレイ１３５に送られる。
【００２３】
記録ユニット１１０には、記録ユニット１１０における媒体２１０の搬送や記録に係る動作を制御する制御部１５０が設けられている。尚、記録システム１００は、記録ユニット１１０、及び処理ユニット１２０が互いに接続されて、記録ユニット１１０から処理ユニット１２０まで媒体２１０を搬送可能に構成されている。制御部１５０は、記録ユニット１１０に接続された処理ユニット１２０における各種動作の制御を行うこともできる。
【００２４】
記録システム１００は、図示を省略する操作パネルから、記録ユニット１１０、及び処理ユニット１２０における設定を入力することができるように構成されている。操作パネルは、一例として記録ユニット１１０に設けることができる。
【００２５】
次に、処理ユニット１２０の概略について、図１を参照しながら説明を行う。  
処理ユニット１２０は、媒体を受け入れる第１受入部１２１と、第１受入部１２１から受け入れられた媒体に対して第１の処理を行う第１処理部１２２と、第１受入部１２１から受け入れられた媒体２１０を、第１処理部１２２を経由させずに媒体処理装置２００に送り出す送出部１２３と、媒体処理装置２００とを備える処理ユニット筐体１２５と、を備えている。  
処理ユニット筐体１２５の外側には、処理ユニット筐体１２５から排出される第１の処理後の媒体を受ける第１トレイ１２４が設けられている。第１トレイ１２４は、処理ユニット１２０の外観を構成する筐体である処理ユニット筐体１２５から突出して設けられている。本実施形態において第１トレイ１２４は、ベース部１２６と延長部１２７を備え、延長部１２７はベース部１２６に収納可能に構成されている。
【００２６】
［第１の実施形態］
＜媒体処理装置について＞
図２を参照して、本発明の第１の実施形態に係る媒体処理装置２００について説明する。  
媒体処理装置２００は、媒体２１０を供給する供給部２２０と、供給部２２０から供給される前記媒体２１０を搬送方向Ｔに搬送する搬送部２３０と、搬送部２３０により搬送される媒体２１０の先端２１１が当接する当接部２４０と、当接部２４０に当接された媒体２１０が積層される積層部２５０と、積層部２５０に積層された媒体２１０に対して処理を行う処理部２６０と、を備える。  
処理ユニット１２０の送出部１２３から送り出された媒体２１０は、媒体処理装置２００の供給面２２２を通り、供給部２２０へと送られる。供給部２２０には、供給ローラー対２２１が配置されており、供給ローラー対２２１により媒体２１０は下流方向へと送り出される。
【００２７】
供給部２２０から送り出された媒体２１０は、搬送経路２０１に入り、搬送経路２０１の搬送開始位置にまで到達したところで、搬送部２３０の移動してくる把持部２３１により、媒体２１０の先端２１１が把持される。そして、搬送部２３０は、把持部２３１で把持された状態の媒体２１０の先端２１１を当接部２４０に当接させるように搬送方向Ｔ（＋）に搬送する。搬送部２３０により積層部２５０の方向Ｔ（＋）へと搬送された媒体２１０は、その先端２１１が当接部２４０の当接面２４１に当接させられ、把持部２３１の把持状態から解放される。  
その後、媒体２１０は、他の媒体の先端の位置と整合されて積層部２５０に積層される。所定の枚数の媒体２１０が積層部２５０に積層された後、積層部２５０に積層された媒体２１０は、搬送部２３０によって処理部２６０の方向Ｔ（−）へと搬送され、処理部２６０にて所定の処理が行われる。
【００２８】
所定の処理後の媒体２１０は、第２トレイ１２９Ａに排出される。第２トレイ１２９Ａは、媒体排出方向の先端部に規制部１２９Ｂを備え、第２トレイ１２９Ａに排出された媒体束が媒体排出方向に第２トレイ１２９Ａからはみ出す、或いは第２トレイ１２９Ａから落下することを抑制する。符号１２８は、処理ユニット筐体１２５から排出される媒体２１０を第２トレイ１２９Ａにガイドするガイド部１２８である。
【００２９】
＜供給部について＞
本実施形態における供給部について、図２を参照して説明する。  
供給部２２０は、処理ユニット１２０の他の部位から送られてきた媒体２１０を、媒体処理装置２００内に送り込む役割を担う。従って、媒体２１０を媒体処理装置２００内に送り込むことができればよく、具体的な構造は以下に説明するものに限定されない。
【００３０】
第１の実施形態においては、供給部２２０は、供給ローラー対２２１および供給面２２２で構成されている。供給ローラー対２２１は、一方が駆動ローラー、他方が従動ローラーの対で構成され、供給面２２２と同一面上で供給ローラー対２２１の駆動ローラーとが接して媒体２１０をニップするよう配置されている。
【００３１】
＜積層部について＞
本実施形態における積層部２５０について、図２を参照して説明する。  
積層部２５０は、搬送部２３０により搬送方向Ｔ（＋）に搬送され、当接部２４０に先端２１１が当接した媒体２１０が順次積層される役割を担う。積層部２５０は、当接部２４０に当接された媒体２１０が、その面に沿う方向Ｔの位置ズレを生じることなく積層されるように構成されている。  
積層部２５０は、媒体２１０の裏面が積層される積層面２５１と、積層された媒体２１０の、搬送方向Ｔの下流側Ｔ（＋）の位置を規定する規定板２５２と、から構成される。積層部２５０は、さらに、積層された媒体２１０の面の２次元方向において搬送方向Ｔと直交する方向の側面位置を規定する側規定板２５３を有していてもよい。積層部２５０は、積層されている状態の媒体２１０の搬送方向Ｔと直交する方向への動きを制約する構造を有していてもよい。
【００３２】
本実施形態においては、搬送部２３０が、媒体２１０の１枚毎に前記搬送開始位置まで移動して、先端２１１を把持部２３１で把持して当接部２４０まで運ぶように構成されている。そのため、積層部２５０は、積層面２５１に積層された状態で、搬送部２３０の前記搬送開始位置までの移動を可能にするために、積層されている媒体２１０が搬送部２３０の前記移動の搬送領域２３２から離れて位置（後退して位置）するように構成されている。即ち、図２に表したように、積層面２５１が搬送領域２３２に対して離間した位置に設けられている。  
さらに本実施形態では、積層部２５０は、積層面２５１が、積層面２５１の法線方向に移動可能に構成されている。この法線方向への移動により、積層部２５０に所定枚数の整合及び積層がなされた媒体２１０の束を、搬送部２３０によって処理部２６０に移動させるために、その処理部２６０への移動経路上に媒体２１０の束を移動して位置させることができるようになっている。
【００３３】
積層面２５１は、媒体２１０の面の寸法以上の大きさの面を有している。積層面２５１は、媒体２１０と搬送方向Ｔにおいて摩擦抵抗が小さく、平面でかつ平滑な面であることが望ましい。積層面２５１は、搬送方向Ｔの移動を妨げない程度のリブ構造を有していてもよい。積層面２５１がリブ構造を有することで、媒体２１０が積層面２５１に貼り付きを回避することができる。
【００３４】
積層面２５１は、媒体２１０が積層部２５０に積層される枚数が増すに従って、積層部２５０に積層される媒体の高さを変えることができるようにしてもよい。これにより、積層部２５０における積層空間が搬送部２３０により搬送されてくる媒体２１０によって狭くなることを回避することができる。
【００３５】
規定板２５２は、積層面２５１に積層された媒体２１０の、その面に沿う方向のうち、搬送方向Ｔの先端２１１の位置を規定する役割を担う。規定板２５２は、積層部２５０の下端の位置に設けられており、規定板２５２の積層面２５１に対する高さは、少なくとも積層部２５０に積層された媒体２１０の厚み以上である。規定板２５２の、媒体２１０の先端２１１が接する面は平滑な面となっている。
【００３６】
側規定板２５３は、積層面２５１に積層された媒体２１０の、その面の２次元方向のうち搬送方向Ｔと直交する方向の側面位置を規定する役割を担う。側規定板２５３は、積層部２５０に積層される媒体２１０の、積層面２５１の面の搬送方向Ｔと直交する方向の側端部と接する位置に設けられている。また、側規定板２５３は、媒体２１０の搬送方向Ｔに直交する方向の寸法に合わせて、位置を移動できる構成でもよい。側規定板２５３は、搬送方向Ｔに移動することができる構造でも、搬送部２３０と一緒に移動する構造でもよい。
【００３７】
第１の実施形態において、積層部２５０の積層面２５１は、搬送方向Ｔ（＋）側が下方となるように傾斜して設けられている。規定板２５２および側規定板２５３についても、積層面２５１の傾斜に従って傾斜して設けられている。さらに規定板２５２は、後述する当接部２４０と同一の面に設けられている。  
搬送部２３０により当接部２４０に当接された媒体２１０は、規定板２５２および側規定板２５３に接しながら積層面２５１に向かって平行に移動し、積層される。これにより、媒体２１０は当接部２４０に当接された後、媒体２１０の面に沿う方向の位置ズレを生じることなく積層される。すなわち、媒体２１０は、積層部２５０に積層された他の媒体２１０と整合状態で積層される。
【００３８】
＜当接部について＞
本実施形態における当接部２４０について、図２を参照して説明する。  
当接部２４０は、図２に表すように、積層部２５０の下端に設けられている。当接部２４０は、搬送部２３０により搬送されてくる媒体２１０の先端２１１が、当接される役割を担う。  
当接部２４０に先端２１１が当接され、搬送部２３０から解放された媒体２１０は、積層部２５０に積層される。すなわち、当接部２４０は媒体２１０の先端２１１を他の媒体２１０の先端２１１と整合するための位置の基準となる。当接部２４０は、積層部２５０の下端の位置にあり、かつ、搬送部２３０により搬送される媒体２１０の搬送経路２０１上に位置する。当接部２４０は、媒体２１０の先端２１１を当接させる面を備え、かつ、搬送部２３０が通過できるスリット構造である。具体的には、当接部２４０は、スリットが形成された板状体で構成されている。尚、当接部２４０は複数に分割された構造でもよい。
【００３９】
第１の実施形態においては、当接部２４０は、傾斜を有する積層部２５０の、下端の位置にあり、かつ搬送部２３０の搬送領域２３２上に位置している。当接部２４０の高さは、少なくとも搬送部２３０により搬送されている媒体２１０が当接される高さである。積層部２５０の積層面２５１と規定板２５２とは、一体の構造となっており、当接部２４０の、媒体２１０の先端２１１が接する側の面は、規定板２５２と同様に平滑面に形成されている。  
搬送部２３０により搬送されてきた媒体２１０は、媒体２１０の先端２１１が当接部２４０に当接された後、積層面２５１に向かって、規定板２５２に沿って平行移動し、積層される。また、当接部２４０の、搬送部２３０が搬送方向Ｔに通過する部分は、当接部２４０が存在しないため、搬送部２３０は当接部２４０を通過することができる。
【００４０】
＜搬送部について＞
本実施形態における搬送部２３０について、図２を用いて説明する。  
搬送部２３０は、上記の通り、供給部２２０から供給される媒体２１０を当接部２４０へ搬送し、また、積層部２５０に積層された媒体２１０を処理部２６０に搬送するという役割を担う。すなわち、搬送部２３０は、供給部２２０から供給された媒体２１０の先端２１１を把持部２３１で把持して搬送方向Ｔ（＋）に搬送して当接部２４０に当接させ、また、積層部２５０に積層されて束となった媒体２１０を処理部２６０に向かって搬送方向Ｔ（−）に搬送する。
【００４１】
第１の実施形態においては、搬送部２３０は、制御部１５０からの指示に基づき、供給部２２０から供給される媒体２１０を、媒体２１０の先端２１１を把持部２３１により把持し、搬送する。  
また、搬送部２３０の把持部２３１が媒体２１０を把持する力は、搬送部２３０が媒体２１０の先端２１１を把持した状態で当接部２４０に当接させた場合に、媒体２１０が搬送部２３０の把持から解放される程度に弱く構成されている。これにより、搬送部２３０は搬送方向Ｔ（＋）に移動するだけで搬送した媒体２１０を当接部２４０に当接させることができる。勿論、把持部２３１が媒体２１０を把持する力は、前記よりも強くしっかり把持し、当接部２４０の位置まで運んだら把持を開放する構成でもよい。
【００４２】
＜搬送開始位置について＞
搬送部２３０が供給部２２０から供給される媒体２１０の搬送を開始する搬送開始位置について、図３を参照して説明する。  
搬送開始位置とは、搬送部２３０が、供給部２２０から供給される媒体２１０の搬送を開始する位置である。搬送部２３０の把持部２３１が媒体２１０の先端２１１を把持して搬送する場合、搬送開始位置は、供給部２２０からの距離において、媒体２１０の搬送方向Ｔの辺の長さよりも近い位置にある。これにより、搬送開始位置においては、媒体２１０の後端２１２は、供給部２２０から送り力を受け得る位置にある。よって、搬送開始位置において、媒体２１０は供給部２２０からの送り力を受けている。  
搬送開始位置において、搬送を開始することで、媒体２１０は、供給部２２０の供給ローラー対２２１からの送り力と、搬送部２３０による搬送力との、少なくとも一方を、受けることができる。これにより、媒体２１０に外力が加わっていない状態が生じないため、搬送経路２０１内で媒体２１０が停滞することが無い。すなわち、搬送部２３０によって媒体２１０の先端２１１を当接部２４０に確実に当接させることがきる。  
尚、搬送開始位置は、媒体２１０が供給部２２０からの送り力を受けている状態の位置を基本とするが、媒体２１０の後端２１２が供給部２２０から排出された後でも、その直後であればよい。
【００４３】
［第２の実施形態］
図６を参照して、本発明の第２の実施形態に係る媒体処理装置２００について説明する。  
先の第１の実施形態においては、搬送部２３０が、媒体２１０の１枚毎に前記搬送開始位置まで移動して、先端２１１を把持部２３１で把持して当接部２４０まで運ぶように構成されている。しかし、積層部２５０の積層空間の構造や媒体２１０の種類等の条件によっては、所定枚数の媒体２１０のうちの最後の１枚だけ搬送部２３０によって把持して当接部２４０まで搬送すればよい場合がある。その場合について、次に説明する。
【００４４】
則ち、積層部２５０は、複数枚の媒体２１０が積層できる積層高さの積層空間を有している。供給部２２０から送られた媒体２１０は当接部２４０に当接して積層部２５０に積層される。この際、最初の１枚のときは積層空間に障害となるものは無いので、供給部２２０の送り力に基づく慣性力と媒体２１０の重力によって当接部２４０に到達することができる。２枚目以降からは、既に積層位置に入っている媒体２１０の存在により積層空間は次第に狭くなる。そのため、供給部２２０から出て送り力が作用しない媒体２１０は、当接部２４０まで到達しきれないで途中で停まってしまう場合もある。  
しかし、次の媒体２１０が供給部２２０から当接部２４０に向かって送り出される際に、次の媒体２１０に対する供給部２２０の送り力が一つ前に送られた媒体２１０にも伝わる。即ち、次の媒体２１０に押されて間接的に送り力を受けることができるので、前記一つ前に送られて途中で停まっていた媒体２１０は当接部２４０にまで到達することができる。  
しかし、最後の１枚の媒体２１０のときは、前記間接的な送り力は無いので、当接部２４０まで到達できない場合がある。
【００４５】
本実施形態では、供給部２２０から最後の１枚の媒体２１０が供給される際に、搬送部２３０は、積層部２５０に積層されている媒体２１０と一緒に、供給部２２０の送り力が及ぶ範囲まで移動して最後の１枚の媒体２１０を加えた全媒体を把持部２３１で把持し、当接部２４０に向かって移動するように構成されている。この構造では、積層面２５１は、第１の実施形態のように後退していない。積層面２５１上に積層されている媒体２１０の束は、搬送部２３０の搬送領域２３２内に位置している。  
ここで「最後の媒体」とは、処理部２６０で所定の処理する一纏まりを成す複数枚の媒体２１０のうちの最後に供給される媒体２１０を意味する。
【００４６】
以下、一部繰り返しになるが、具体的に説明する。  
まず、供給部２２０から最後の１枚の媒体２１０が供給される際に、搬送部２３０の把持部２３１により、積層部２５０に積層されている媒体２１０の束の先端２１１が把持される。搬送部２３０により媒体２１０の束は、供給部２２０に向けて搬送され、搬送開始位置にて停止し、搬送部２３０は把持部２３１を解放する。このとき、媒体２１０の後端２１２（上端）は、退避路２０２に退避する。  
次に、最後の媒体２１０が供給部２２０から供給され、その先端２１１が搬送部２３０の把持部２３１の領域に到達したら、その最後の１枚の媒体２１０と、前記媒体の束とのそれぞれの先端をまとめて把持部２３１で把持する。このとき、把持部２３１が当接部２４０の機能を有していて、最後の１枚が当接されることで、他の媒体２１０の先端（下端）と整合されるようにしてもよい。その後、搬送部２３０は、全ての媒体２１０を当接部２４０に向かって搬送し、全ての媒体２１０の先端２１１を当接部２４０に当接させる。これにより、媒体２１０は整合されて積層部２５０へ積層される。ここで、側規定板２５３は、搬送部２３０とともに移動してもよい。
【００４７】
本実施形態によれば、搬送部２３０は、積層部２５０に積層されている媒体２１０と一緒に、供給部２２０の送り力が及ぶ範囲まで移動して最後の媒体２１０を加えた全媒体２１０を把持し、当接部２４０に向かって移動する。これにより、最後の１枚も当接部２４０まで到達することが可能となる。即ち、他の媒体２１０が積層部２５０に積層されて積層空間が狭くなった場合でも、最後の１枚を他の媒体２１０と整合させることができる。
【００４８】
＜処理部について＞
処理部２６０では、媒体２１０を綴じる綴じ部２７０において綴じ処理、および媒体２１０を中折りする折り部２８０にて折り処理を行う。処理された媒体２１０は、処理ユニット１２０の第２トレイ１２９Ａに排出される。
【００４９】
図１及び図２を参照して、処理部２６０について更に詳しく説明する。  
処理部２６０は、積層部２５０に積層された複数枚の媒体２１０を綴じる綴じ部２７０と、媒体２１０を折る折り部２８０とを備えている。処理部２６０は、供給部２２０の下流であって供給部２２０と積層部２５０との間に設けられている。
【００５０】
綴じ部２７０は、供給部２２０の下流の搬送経路２０１に設けられている。綴じ部２７０の一例としてステープラーである。本実施形態において、綴じ部２７０は、媒体２１０の、搬送方向Ｔに直交する方向に間隔を空けて複数設けられている。綴じ部２７０は、媒体２１０の中央部で媒体２１０を綴じるように構成されている。本実施形態における綴じ部２７０による綴じ位置は、積層部にて整合された媒体２１０の束の搬送方向Ｔにおける中央部である。
【００５１】
折り部２８０は、綴じ部２７０の下流に隣接して設けられている。折り部２８０は、折ローラー対２８３と、媒体２１０の綴じ位置を折ローラー対２８３にニップさせるブレード２８２と、を備えている。符号２８１は、ブレード２８２が進退するために積層面２５１に貫通して形成された折孔である。
【００５２】
折り部２８０は、搬送経路２０１と対向する面には、折ローラー対２８３が設けられており、搬送経路２０１と、折ローラー対２８３のニップ位置Ｎとの間には、進入路２８４が形成されている。進入路２８４の入り口には、積層部２５０から綴じ位置をニップ位置Ｎに誘う斜面（図示せず）が形成されていてもよい。
【００５３】
処理部２６０における綴じ処理および折り処理を以下に示す。ここでは、媒体２１０の中央部を綴じ処理により綴じ、その後、媒体２１０の中央部を折り処理により折る場合を示す。  
所定枚数の媒体２１０が積層部２５０に積層された後、制御部１５０からの指示に基づき、積層部２５０に積層した媒体２１０の束は、搬送部２３０により、供給部２２０の方向Ｔ（−）に搬送される。媒体２１０の束は、媒体２１０の中央部が綴じ部２７０の綴じ位置と重なる位置まで来たら、搬送部２３０は搬送を停止し、綴じ部２７０により綴じ処理が行われる。ここで、搬送部２３０により搬送された媒体２１０の後端２１２は、退避路２０２に退避している（図６参照）。
【００５４】
続いて、綴じ部２７０で綴じ処理した媒体２１０の束を、搬送部２３０により積層部２５０の方向Ｔ（＋）に移動させる。媒体２１０の束の中央部が、ブレード２８２が搬送経路２０１を貫通する位置（折孔２８１）に到達したら搬送を停止させる。次に、折孔２８１にブレード２８２を進出させる。これにより、媒体２１０の綴じ部で綴じ処理された位置が折ローラー対２８３のニップ位置が折ローラー対２８３にニップされると、折ローラー対２８３の回転により媒体２１０が折り畳まれ、冊子２１５となり、第２トレイ１２９Ａに向けて排出される。折ローラー対２８３は、複数設けられていてもよい。折ローラー対２８３を複数も受けることで、確実に折り処理を行うことができる。
【００５５】
尚、媒体処理装置２００は、搬送経路２０１に媒体２１０の綴じ位置に折り筋を付ける折り筋形成機構を設けることができる。綴じ位置は折ローラー対２８３による折り位置となるので、綴じ位置に折り筋を付けることにより媒体２１０を綴じ位置で折り易くすることができる。
【００５６】
本実施形態において、処理部２６０が行う処理は、積層部２５０に積層された媒体２１０を綴じる綴じ部２７０と、媒体２１０を中折する折り部２８０のいずれかを少なくとも含んでもよい。尚、処理部２６０は、媒体２１０の端部をステープラーで綴じる端綴じ処理を行ってもよく、前記媒体の所定の位置に穴をあけるパンチング処理等を行ってもよい。
【００５７】
［第３の実施形態］
図７を参照して、本発明の第３の実施形態に係る媒体処理装置２００について説明する。  
＜ベルト搬送部＞
本実施形態は、第１の実施形態における搬送部２３０による搬送の代わりに、ベルト搬送部２９０により、媒体２１０を吸着することにより搬送する。  
本実施形態によっても、ベルト搬送部２９０により媒体２１０の表面２１３を、吸着して保持することにより、媒体２１０を当接部２４０まで搬送することができる。すなわち、媒体２１０を他の媒体と整合させることができる。
【００５８】
本実施形態のベルト搬送部２９０について図７を参照して説明する。  
ベルト搬送部２９０は、環状に形成されたループベルト２９１と、ループベルト２９１の環の内側にループベルト２９１を引張するように配置される３つのベルトローラー２９２と、負圧により吸引を行う吸引室２９３と、から構成されている。ループベルト２９１には、吸引室２９３からの負圧をループベルト２９１の表面側に連通させるための孔２９４を具備している。ベルト搬送部２９０は、供給部２２０と積層部２５０との間に位置し、吸引室２９３および孔２９４が、積層面２５１と平行となるよう配置されている。
【００５９】
また、ベルトローラー２９２は、制御部１５０からの指示に基づき、図示しない駆動力により正転および逆転することができ、ループベルト２９１が駆動する。これによりループベルト２９１に設けられた孔２９４を、ループベルト２９１の軌道上を、搬送部に向かってまたは供給部に向かって移動させることができる。また、ベルト搬送部２９０は、制御部１５０からの指示により、吸引室２９３から孔２９４に供給される圧力を切り替えることができる。すなわち、吸引室２９３から孔２９４へ、負圧を供給することで媒体２１０の表面２１３をループベルト２９１に吸着することができ、正圧を供給することで媒体２１０の表面２１３から解放することができる。このようにして、媒体２１０は、媒体２１０の表面２１３をベルト搬送部２９０の孔２９４で吸引されることにより保持され、搬送される。
【００６０】
本実施形態では、当接部２４０は、積層部２５０に積層された媒体２１０の束を、処理部２６０の方向Ｔ（＋）と、その逆の方向Ｔ（−）との双方に移動可能に構成されている。そして、ベルト搬送部２９０により搬送され、積層部２５０に積層された媒体２１０は、移動可能な当接部２４０により処理部２６０の方向に搬送され、第１の実施形態の場合と同様に処理部２６０により処理される。
【００６１】
［他の実施形態］
本発明に係る媒体処理装置２００は、以上述べたような構成を有することを基本とするものであるが、本願発明の要旨を逸脱しない範囲内での部分的構成の変更や省略等を行うことも勿論可能である。
【００６２】
例えば、第１の実施形態と第２の実施形態においても、当接部２４０は、積層部２５０に積層された媒体２１０の束を、処理部２６０の方向Ｔ（＋）と、その逆の方向Ｔ（−）との双方に移動可能に構成されていてもよい。媒体２１０の束を処理部２６０に運ぶ際に、搬送部２３０の把持部２３１と一緒に当接部２４０も移動するようにすることで、媒体２１０の束を安定して状態で運ぶことが可能となる。  
当接部２４０は、例えば、図示しない駆動源の動力によって動作するラックアンドピニオン機構やベルトアンドプーリ機構、ガイドアンドスクリュー機構等を用い、積層部２５０の方向及び搬送部２３０の方向に移動させることができる。  
当接部２４０は、さらに、積層部２５０に積層された媒体２１０の後端２１２を当接することができる、図示しない移動可能な第２当接部を具備していてもよい。
【符号の説明】
【００６３】
１００…記録システム、１１０…記録ユニット、１１１…第１送出部、
１２０…処理ユニット、１２１…第１受入部、１２２…第１処理部、
１２３…送出部、１２４…第１トレイ、１２５…処理ユニット筐体、
１２６…ベース部、１２７…延長部、１２８…ガイド部、１２９Ａ…第２トレイ、
１２９Ｂ…規制部、１３０…プリンター部、１３１…媒体収容カセット、
１３２…カセット収容部、１５０…制御部、１３３…記録領域、
１３５…記録後排出トレイ、１４０…スキャナー部、２００…媒体処理装置、
２０１…搬送経路、２０２…退避路、２１０…媒体、２１１…先端、
２１２…後端、２１３…表面、２１４…媒体束、２１５…冊子、２２０…供給部、
２２１…供給ローラー対、２２２…供給面、２３０…搬送部、２３１…把持部、
２３２…搬送領域、２４０…当接部、２４１…当接面、２５０…積層部、
２５１…積層面、２５２…規定板、２５３…側規定板、２６０…処理部、
２７０…綴じ部、２８０…折り部、２８１…折孔、２８２…ブレード、
２８３…折ローラー対、２８４…進入路、２９０…ベルト搬送部、
２９１…ループベルト、２９２…ベルトローラー、２９３…吸引室、
２９４…孔、Ｎ…ニップ位置、Ｔ…搬送方向
【図１】
2020083641.tif 000003
【図２】
2020083641.tif 000004
【図３】
2020083641.tif 000005
【図４】
2020083641.tif 000006
【図５】
2020083641.tif 000007
【図６】
2020083641.tif 000008
【図７】
2020083641.tif 000009